(57)【要約】【課題】設定項目の多いビデオ信号の印刷装置において、文字や記号だけでなく図形を用いた解り易い視覚的に表現力のあるユーザインターフェースを実現することを目的とする。【解決手段】画面上に表示する文字や記号，画面描画図形情報,内蔵メモリへの配置情報を保存するフラッシュメモリ部と、文字や記号情報等をフラッシュメモリ部から読み出しメモリコントローラ部を通して内蔵メモリ部のメモリ上に配置するマイクロコントローラ部とを備え、データ比較部やデータ演算部を用いてメモリ上の画像データを合成する。【選択図】図１
2007301842.tif 000002
【特許請求の範囲】
【請求項１】
外部からのビデオ信号を受け取るビデオ信号入力部と、入力されたビデオ信号をデジタル画像データに変換するＡ／Ｄ変換部と、デジタル画像データを記憶する内蔵メモリ部と、前記内蔵メモリ部に対する書き込み・読み出しを制御するメモリコントローラ部と、前記内蔵メモリ部のメモリに記録され読み出されたデジタル画像データをアナログビデオ信号に変換するＤ／Ａ変換部と、アナログ変換されたビデオ信号を表示部に出力するビデオ信号出力部とを有し、前記内蔵メモリ部のメモリに記録され読み出されたデジタル画像データを用紙上に印刷表示する印刷装置において、印刷される用紙上に表示する文字や記号情報，図形情報，前記内蔵メモリ部のメモリへの配置情報を保存するフラッシュメモリ部と、前記フラッシュメモリ部に保存された情報を前記フラッシュメモリ部から読み出し前記メモリコントローラ部を通して前記内蔵メモリ部のメモリ上に画像データとして記録するマイクロコントローラ部を備え、前記マイクロコントローラ部により記録された画像データを用紙上に印刷表示するようにした印刷装置。
【請求項２】
前記フラッシュメモリ部から読み出した図形情報に従って、前記内蔵メモリ部のメモリ上に画像データとして所望の画像を描画し記録する図形描画装置を備えた請求項１記載の印刷装置。
【請求項３】
前記メモリコントローラ部を通して記録された複数の画像データを読み出しそのデータを比較し、選択して前記メモリコントローラ部を通して前記内蔵メモリ部のメモリ上に画像データとして記録するデータ比較部を備えた請求項２記載の印刷装置。
【請求項４】
前記メモリコントローラ部を通して記録された画像データを複数読み出しそれらのデータを重み付けや優先順位によって演算し両方のデータを重ね合わせたデータを画像データとして記録するデータ演算部を備えた請求項２記載の印刷装置。
【請求項５】
前記メモリコントローラ部を通して記録された画像データを複数読み出しそれらのデータを重み付けや優先順位によって演算し両方のデータを重ね合わせたデータを画像データとして記録するデータ演算部と、前記フラッシュメモリ部と前記マイクロコントローラ部によって前記内蔵メモリ部のメモリ上に記憶された印刷装置の設定項目やステータス表示などの文字・記号情報を、前記データ比較部と前記データ演算部を利用して上書きや重ね合わせの演算を行ったデータを画像データとして前記メモリコントローラ部を通して前記内蔵メモリ部のメモリ上に記憶するオーバーレイ制御部とを備えた請求項３記載の印刷装置。
【発明の詳細な説明】
【技術分野】
【０００１】
この発明はビデオ信号入力による画像データを用紙上に印刷表示する印刷装置に関するものである。
【背景技術】
【０００２】
図６は従来の印刷装置を示すブロック構成図である。ビデオ信号入力部１は外部からのビデオ信号を取り込む。Ａ／Ｄ変換部２は取り込んだアナログビデオ信号をデジタル画像データに変換する。メモリコントローラ部３はデジタル変換された画像データを内蔵メモリ部４に書き込むと共に、内蔵メモリ部４から読み出す制御を行う。内蔵メモリ部４は画像データを記録保持する。Ｄ／Ａ変換部５は読み出されたデジタル画像データをアナログビデオ信号に変換する。信号切替器６はＤ／Ａ変換されたビデオ信号とＯＳＤ（ on-screen display ）コントローラ部９から出力されるＯＳＤ信号とを切替える。ビデオ信号出力部７はＤ／Ａ変換されたアナログビデオ信号を出力するか、ＯＳＤ信号を出力する。マイクロコントローラ部８はＯＳＤコントローラ部９を制御する。ＯＳＤコントローラ部９はビデオ信号上に文字や記号を配置する。これら１−９で従来の印刷装置を構成している。
【０００３】
ＯＳＤコントローラ部９には予め決められた文字や記号に関する情報が記録されており、マイクロコントローラ部８はＯＳＤコントローラ部９に記録されている文字や記号データのコードと表示位置を指定する。ＯＳＤコントローラ部９は指示されたタイミングで信号切替器６を制御し、Ｄ／Ａ変換された後のアナログビデオ信号とＯＳＤコントローラ部９の出力とを切替えている。なお、関連する技術情報は特許文献１，特許文献２，特許文献３等に開示されている。
【０００４】
【特許文献１】特開２００３−２２３３１２号公報（[００２３]―[００３２]、第１図）
【特許文献２】特開２００３−２６０８４８号公報（[００２７]―[００３０]、第１図）
【特許文献３】特開２００４−１８８６７４号公報（[００１５]、第１図）
【発明の開示】
【発明が解決しようとする課題】
【０００５】
従来の印刷装置では、画面表示又は用紙上の印刷表示がビデオ出力画像かＯＳＤ出力画像のどちらか一方を選択して表示する方式であり、両方を重ね合わせるような機能は得られなかった。またＯＳＤコントローラ部９が持っている文字や記号データは決まった大きさの情報であり、複数行に渡るような図形を画面上に自由に配置表示することは不可能であった。
印刷装置の高機能化により設定項目は増加していることから、それらを設定する設定メニューは複雑になりやすい。これまでは文字が並んだメニューしか表示出来ず、視覚的に非常にわかりにくかった。
【０００６】
この発明は、上記の問題点を解消するためになされたもので、視覚的にわかりやすく、柔軟で高度なユーザインターフェースを実現するための印刷表示機能を有する印刷装置を提供することを目的としている。
【課題を解決するための手段】
【０００７】
この発明に係わる印刷装置は、外部からのビデオ信号を受け取るビデオ信号入力部と、入力されたビデオ信号をデジタル画像データに変換するＡ／Ｄ変換部と、デジタル画像データを記憶する内蔵メモリ部と、前記内蔵メモリ部に対する書き込み・読み出しを制御するメモリコントローラ部と、前記内蔵メモリ部のメモリに記録され読み出されたデジタル画像データをアナログビデオ信号に変換するＤ／Ａ変換部と、アナログ変換されたビデオ信号を表示部に出力するビデオ信号出力部とを有し、前記内蔵メモリ部のメモリに記録され読み出されたデジタル画像データを用紙上に印刷表示する印刷装置において、印刷される用紙上に表示する文字や記号情報，図形情報，前記内蔵メモリ部のメモリへの配置情報を保存するフラッシュメモリ部と、前記フラッシュメモリ部に保存された情報を前記フラッシュメモリ部から読み出し前記メモリコントローラ部を通して前記内蔵メモリ部のメモリ上に画像データとして記録するマイクロコントローラ部を備え、前記マイクロコントローラ部により記録された画像データを用紙上に印刷表示するものである。
【０００８】
また、この発明の印刷装置によれば、前記メモリコントローラ部を通して記録された複数の画像データを読み出しそのデータを比較し、選択して前記メモリコントローラ部を通して前記内蔵メモリ部のメモリ上に画像データとして記録するデータ比較部を備えたものである。
【０００９】
さらに、この発明の印刷装置によれば、前記メモリコントローラ部を通して記録された画像データを複数読み出しそれらのデータを重み付けや優先順位によって演算し両方のデータを重ね合わせたデータを画像データとして記録するデータ演算部を備えたものである。
【発明の効果】
【００１０】
この発明の印刷装置によれば、ＯＳＤコントローラ部の機能に依存せず、自由に文字や記号を組み合わせたユーザインターフェースの構築が可能になる。また、表示の変更や拡張に対しても、柔軟に実現することが可能となる。
【００１１】
また、この発明の印刷装置によれば、内蔵メモリ部から読み出した画像データに対する比較や演算機能を備えており、取り込まれた画像データに対して演算機能で別の画像データを合成することで高度な画面表示機能が提供できる。
【発明を実施するための最良の形態】
【００１２】
実施の形態１．
図１はこの発明の実施の形態１による印刷装置を示すブロック構成図である。ビデオ信号源１１はビデオ信号映像を出力する。ビデオ信号入力部１２は外部にあるビデオ信号源１１からのビデオ信号を受け取る。Ａ／Ｄ変換部１３はビデオ信号入力部１２から入力されたビデオ信号をデジタル画像データ（デジタル信号）に変換する。メモリコントローラ部１５はＡ／Ｄ変換部１３からのデジタル画像データを内蔵メモリ部１４に書き込むと共に、内蔵メモリ部１４から読み出す制御を行う。内蔵メモリ部１４はデジタル画像データを記憶保持する。Ｄ／Ａ変換部１６は内蔵メモリ部１４の中に記憶されたデジタル画像データを読み出しアナログビデオ信号に変換する。ビデオ信号出力部１７はアナログ変換されたビデオ信号を出力する。出力されたビデオ信号は、印刷装置に接続された表示部２４の画面に表示することができる。また内蔵メモリ部１４に保持されたデジタル画像データはメモリコントローラ部１５を通してプリンタ出力部２５で用紙上に印刷表示される。
【００１３】
フラッシュメモリ部１８は画面上に表示又は用紙上に印刷表示する文字や記号情報、画面描画図形情報（画面上に表示又は用紙上に印刷表示する図形情報）、内蔵メモリ部１４のメモリへの配置情報を保存する。なお、この配置情報は、上述している文字や記号情報、図形情報を、内蔵メモリ部１４へ配置する際の配置位置情報のことである。マイクロコントローラ部１９は文字や記号情報,図形情報,配置情報をフラッシュメモリ部１８から読み出し、図形描画部２０とメモリコントローラ部１５を通して画像データとして内蔵メモリ部１４のメモリ上に配置し記録する。図形描画部２０はフラッシュメモリ部１８から読み出した画面描画図形情報に従って、内蔵メモリ部１４のメモリ上に画像データとして所望の画像を描画し記憶することができる。データ比較部２１はメモリコントローラ部１５を通して記録された画像データを複数読み出しそのデータを比較し、選択された方のデータをメモリコントローラ部１５を通して画像データとして内蔵メモリ部１４のメモリ上に記録する。
【００１４】
データ演算部２２はメモリコントローラ部１５を通して記録された画像データを複数読み出し、それらのデータを重み付けや優先順位によって演算し両方のデータを重ね合わせ（例えば、二つの画像を合成した結果透けて見えているように重ね合わせ）、そのデータを画像データとして、メモリコントローラ部１５を通して内蔵メモリ部１４のメモリに記録することができる。オーバーレイ制御部２３はフラッシュメモリ部１８とマイクロコントローラ部１９によって内蔵メモリ部１４のメモリ上に配置された印刷装置の設定項目やステータス表示などの文字・記号情報を、データ比較部２１とデータ演算部２２を利用して上書きや透過の演算を行い、メモリコントローラ部１５を通して内蔵メモリ部１４のメモリ上に画像データとして保存することができる。
【００１５】
次に動作について説明する。ビデオ信号源１１から出力されたビデオ信号は、ビデオ信号入力部１２を経てＡ／Ｄ変換部１３へ入力される。Ａ／Ｄ変換部１３へ入力された信号はデジタル画像データに変換され、メモリコントローラ部１５を経由して内蔵メモリ部１４へ送られ、図２に示すように、そのメモリ上の入力画像データ領域に画像データとして記憶される。図２は内蔵メモリ部１４における入力画像領域の画像データを示す図である。
【００１６】
マイクロコントローラ部１９は、フラッシュメモリ部１８に格納されている文字データや記号情報、画面描画図形情報データを読み出して、図形描画部２０からメモリコントローラ部１５を通して、画像データを内蔵メモリ部１４におけるオーバーレイ画像領域に保存する。図３は内蔵メモリ部１４におけるオーバーレイ画像領域の画像データを示す図である。
【００１７】
オーバーレイ制御部２３は、内蔵メモリ部１４のメモリ上の入力画像領域とオーバーレイ画像領域から画像データを読み出し、マイクロコントローラ部１９からの指示により画像データをデータ比較部２１又はデータ演算部２２へ送る。
【００１８】
データ比較部２１は、オーバーレイ画像領域にデータがあればそちらを、なければ入力画像データ領域の画像データを選択し、オーバーレイ制御部２３へ返す。オーバーレイ制御部２３は返された画像データを、メモリコントローラ部１５を通して内蔵メモリ部１４のメモリ上の出力画像データ領域へ書き込む。図４はデータ比較器２１で選択され記憶された内蔵メモリ部１４における出力画像領域の画像データを示す図である。図４の場合は、オーバーレイ画像領域のデータの有無によって、オーバーレイ画像領域にデータがあれば、それを選択し、オーバーレイ画像領域にデータがなければ、入力画像データ領域の画像データを選択することで重ね合わせた図を合成することができる。
【００１９】
データ演算部２２はメモリコントローラ部１５を通して記録された画像データを複数読み出し、それらのデータを重み付けや優先順位によって演算し両方のデータを重ね合わせた画像データを、メモリコントローラ部１５を通して内蔵メモリ部１４のメモリ上の出力画像データ領域へ書き込む。図５はデータ演算部２２で演算され重ね合わせ記憶された内蔵メモリ部１４における出力画像領域の画像データを示す図である。
【００２０】
出力画像領域に記録された画像データは、メモリコントローラ部１５により読み出されて、Ｄ／Ａ変換部１６へ送られ、アナログビデオ信号に変換される。変換されたビデオ信号はビデオ信号出力部１７から外部へ出力され、印刷装置に接続された表示部（モニタ）上にオーバーレイされた画像が表示され、ユーザは画面上の指示に従って調整・設定等を行う。
【００２１】
一方で出力画像領域に記録された画像データは、メモリコントローラ部１５により読み出され、プリンタ出力部２５に送られ用紙上に印刷表示される。
【００２２】
このように、実施の形態１では、内蔵メモリ部から読み出した画像データに対する比較・演算機能を備えており、取り込まれた画像データに対して演算機能で別の画像データを合成することで高度な画面表示機能が提供できる。
【図面の簡単な説明】
【００２３】
【図１】この発明の実施の形態１による印刷装置を示すブロック構成図である。
【図２】内蔵メモリ部における入力画像領域の画像データを示す図である。
【図３】内蔵メモリ部におけるオーバーレイ画像領域の画像データを示す図である。
【図４】データ比較器で選択され記憶された内蔵メモリ部における出力画像領域の画像データを示す図である。
【図５】データ演算部で演算され重ね合わせ記憶された内蔵メモリ部における出力画像領域の画像データを示す図である。
【図６】従来の印刷装置を示すブロック構成図である。
【符号の説明】
【００２４】
１１  ビデオ信号源                      １２  ビデオ信号入力部
１３  Ａ／Ｄ変換部                      １４  内蔵メモリ部
１５  メモリコントローラ部              １６  Ｄ／Ａ変換部
１７  ビデオ信号出力部                  １８  フラッシュメモリ部
１９  マイクロコントローラ部            ２０  図形描画部
２１  データ比較部                      ２２  データ演算部
２３  オーバーレイ制御部                ２４  表示部
２５  プリンタ出力部
【図１】
2007301842.tif 000003
【図２】
2007301842.tif 000004
【図４】
2007301842.tif 000005
【図６】
2007301842.tif 000006
【図３】
2007301842.tif 000007
【図５】
2007301842.tif 000008